(57)【特許請求の範囲】
【請求項１】
加熱混合物を敷き均して舗装面を平滑に仕上げるスクリード装置のスクリード加熱装置において、
燃料の供給を制御する弁と、この弁を介して供給される前記燃料を燃焼させて熱気を発生させる燃焼器と、この燃焼器の燃焼室の直上に連なった空間から前記燃焼室へ送風して前記燃焼室内の熱気の強制送り込みを行う前記燃焼器の直上に配置された送風機と、この送風機の送風量に応じた検出信号を出力する検出器と、この検出器から出力される前記検出信号を入力し，この検出信号に応じた制御信号を前記弁へ出力して前記弁を制御するコントローラとを備えて構成されていることを特徴とするスクリード加熱装置。
【請求項２】
前記送風機はモータで駆動する回転式のファンを備えており、前記検出器は前記ファンの回転を検出し検出内容を回転信号として出力する回転検出器であり、前記コントローラは前記回転信号に基づいて前記弁を開閉し又は前記弁の開度を調整することを特徴とする請求項１記載のスクリード加熱装置。
【発明の詳細な説明】
【０００１】
【発明の属する技術分野】
本発明は、アスファルトフィニッシャ等の道路舗設車両に用いられるスクリード装置における、スクリードを加熱するためのスクリード加熱装置に関するものである。
【０００２】
【従来の技術】
アスファルト加熱混合物等を敷き均して舗装面を平滑に仕上げるスクリード装置においては、混合物等がスクリードに付着するのを防ぐため、また、舗装面を平滑にアイロン仕上げ等するため、スクリード加熱装置によってスクリードを加熱する必要がある。
【０００３】
従来この種のスクリード加熱装置としては、例えば送風機付き燃焼器タイプのスクリード加熱装置がある。図２は、この送風機付き燃焼器タイプのスクリード加熱装置の電気系統図であり、図３（ａ）は正常加熱時の送風機７、燃焼器８、及びダクト９の内部の加熱の様子を簡略的に表した図である。送風機７は、回転して風を起こすファン６とファン６を駆動させるモータ５とから成る。また、燃焼器８は供給されるガスＧを燃焼させて熱気を発生させる。ダクト９は、内部が高温であり、燃焼器８で発生した熱気を流してスクリードプレート１０を加熱する。スクリードプレート１０は、スクリード装置の構成部品の一つで、アスファルト加熱混合物等を敷き均して舗装面を平滑に仕上げる上で、いわゆるコテの作用をする。
【０００４】
この送風機付き燃焼器タイプのスクリード加熱装置では、スイッチ１を閉じると電源２からヒューズ３を介して電磁リレーコイル４とモータ５とへ通電される。電磁リレーコイル４に通電されると、ガス制御電磁弁のバルブが開いて黒色矢印で示すガスＧが燃焼器８へ供給される。このガスＧを燃焼器８で燃焼させれば熱気ｈが発生する。また、モータ５に通電されるとファン６が回転し、送風機７から白抜き矢印で示す空気が送風される。従って、熱気ｈは送風機７からの送風によって斜線付き矢印のように強制的にダクト９内に送り込まれ、ダクト９の内部を流れてスクリードプレート１０を加熱する。
【０００５】
このような従来のスクリード加熱装置では、モータ５の電源ラインと電磁弁を制御する電磁リレーコイル４の電源ラインは同一ヒューズ３を介して配されている。このため、回路短絡によってヒューズ３が働き、モータ５への通電が断たれてファン６の回転が停止しても、同時に電磁リレーコイル４への通電も断たれるので、電磁弁が閉じて燃焼器８へのガスＧの供給は停止する。このように、ファン６が停止しても、一緒にガスＧの供給も停止するので、燃焼器８の炎ｆは失火し逆火は起こらない。従って、逆火による送風機７の焼損を免れることが出来る。
【０００６】
【発明が解決しようとする課題】
しかしながら、上記従来の送風機付き燃焼器タイプのスクリード加熱装置においては、もしヒューズ３が働くことなくモータ５が停止した場合、例えば送風機７側の配線だけが断線してモータ５が停止した場合には、電磁リレーコイル４は通電状態のままなので電磁弁のバルブは開きっぱなしになる。このため、ファン６が停止して送風が途絶えていても、ガスＧの供給は継続され、燃焼器８の炎ｆは燃え続ける。
【０００７】
図３（ｂ）は、送風が停止したときの送風機７、燃焼器８、及びダクト９の内部の様子を表した図である。送風機７が停止して送風が途絶えると、今まで送風によって強制的にダクト９内に送り込まれていた炎ｆが、燃焼器８の上方に位置する送風機７側へ逆火する。炎ｆが逆火すると同図中Ｂのように炎ｆが送風機７に燃え広がり、送風機７は焼損する。スクリード装置の構造上、送風機７の位置を燃焼器８の位置より下げることは困難である。また、送風機７が停止した場合にオペレータの操作によってガスＧの供給を止めるようにしても、時間的に遅すぎ、送風機７の焼損を免れることは出来ない。つまり、従来のスクリード加熱装置では、断線による送風機７の停止には対応できず、送風機７の焼損を免れることは出来ない。
【０００８】
また、このような逆火による送風機７の焼損は、何らかの要因でファン６の回転数が低下して燃焼器８への送風量が不足した時にも起こる。すなわち、送風量が減少すると、燃焼器８内で発生する炎ｆはダクト９内に送り込まれず、上方の送風機７側へ燃焼姿勢を移してゆく。従って、送風が完全に途絶えなくても、炎ｆが送風機７側へ逆火して送風機７が焼損する。
【０００９】
【課題を解決するための手段】
本発明はこのような課題を解決するためになされたもので、加熱混合物を敷き均して舗装面を平滑に仕上げるスクリード装置のスクリード加熱装置において、燃料の供給を制御する弁と、この弁を介して供給される燃料を燃焼させて熱気を発生させる燃焼器と、この燃焼器の燃焼室の直上に連なった空間から燃焼室へ送風して燃焼室内の熱気の強制送り込みを行う燃焼器の直上に配置された送風機と、この送風機の送風量に応じた検出信号を出力する検出器と、この検出器から出力される検出信号を入力し，この検出信号に応じた制御信号を弁へ出力して弁を制御するコントローラとを備えてスクリード加熱装置を構成した。
【００１０】
このような構成において、送風機が駆動されると燃焼器へ風が送られる。検出器はこの送風量に応じた検出信号をコントローラへ出力する。コントローラは入力した検出信号に応じて弁の制御信号を出力し、弁はこの制御信号に応じて燃焼器へ燃料の供給を行う。
【００１１】
ここで点火操作を行えば、燃焼器で燃料が燃焼して熱気が発生し、送風機からの送風によって熱気が例えばダクトに強制的に送り込まれてスクリードの加熱が行われる。このとき、検出信号の内容によっては、コントローラは弁を制御して燃焼器への燃料供給を停止させる場合がある。例えば、ファンの回転信号から送風機が停止しているとコントローラが判断した場合や、ファンの回転信号より算出した送風機からの送風量が、熱気を強制的に送り込む上で必要十分な量に達していないとコントローラが判断した場合等である。このような場合には、即時に弁が閉じて燃料の供給が停止される。
【００１２】
【発明の実施の形態】
次に、本発明によるスクリード加熱装置をアスファルトフィニッシャのスクリード装置に適用した一実施形態について説明する。
【００１３】
アスファルトフィニッシャは、混合物を積むためのホッパを有する本体部分と、この本体に牽引されてアスファルト加熱混合物を敷き均し、舗装面を平滑に仕上げるスクリード装置とからなる道路舗設車両である。
【００１４】
図１は、本実施の形態によるスクリード加熱装置の構成の概略を表す図である。電磁弁１３はバルブの開閉によって燃焼器１４への燃料の供給を制御する。燃料はガスＧである。燃焼器１４はガスＧを燃焼させて熱気ｈを発生させる。送風機１１はモータ１１ａとこれの駆動によって回転するファン１１ｂとで構成されており、ファン１１ｂが回転すると燃焼器１４へ風が送られ、この風が燃焼器１４で発生した熱気ｈをダクト１６へ強制的に送り込む。回転検出器１５はファン１１ｂの回転を検出し、検出内容を回転信号ＳＲとして出力する。コントローラ１２は回転信号ＳＲを入力し、この回転信号ＳＲに応じた制御信号Ｓｃを電磁弁１３へ出力する。
【００１５】
このような構成において、モータ１１ａが駆動するとファン１１ｂが回転して燃焼器１４への送風が開始する。また、ファン１１ｂが回転すると回転検出器１５がその回転状態を検出し、検出内容を回転信号ＳＲとしてコントローラ１２へ出力する。コントローラ１２は回転信号ＳＲを入力すると、入力した回転信号ＳＲからファン１１ｂの回転数を算出し、算出した回転数と予め設定された基準回転数との比較を行う。
【００１６】
ここで基準回転数とは、コントローラ１２が制御信号ＳＣの出力を決定する際の基準になる回転数のことで、入力した回転信号ＳＲから算出した回転数がこの基準回転数より大きければ、電磁弁１３へ制御信号ＳＣが出力される。基準回転数を設定するときは、まず、送風機１１に炎が逆火しないような状態が十分保てる送風量を求める。そして、この送風量を得るときの回転数を送風量から換算して求め、求めた回転数を基準回転数として設定する。
【００１７】
検出された回転数が基準回転数よりも大きければ、コントローラ１２は電磁弁１３へ制御信号ＳＣを出力する。制御信号Ｓｃを入力した電磁弁１３はバルブを開き、燃焼器１４へガスＧの供給を開始する。ガスＧが供給された燃焼器１４において点火操作を行えば、ガスＧが燃焼して熱気ｈが発生する。この熱気ｈが送風機１１からの送風によって強制的にダクト１６へ送り込まれ、スクリードプレート１７が加熱される。
【００１８】
本実施の形態では、電気配線の断線等、不測の要因でファン１１ｂの回転が停止した場合、あるいは回転数が低下した場合には、コントローラ１２から電磁弁１３への制御信号Ｓｃの出力が停止する。つまり、回転検出器１５によって検出されたファン１１ｂの回転数がゼロの場合もしくは基準回転数以下であるとコントローラ１２に於いて判断された場合には、コントローラ１２から電磁弁１３への制御信号Ｓｃの出力が停止される。この結果、電磁弁１３のバルブが閉じて、燃焼器１４へのガスＧの供給が遮断され、燃焼器１４は失火する。
【００１９】
すなわち、ファン１１ｂの回転が低下もしくは停止した場合には、オペレータの操作によってガスＧの供給を止めなくても、制御信号Ｓｃの出力が停止することによって電磁弁１３のバルブが閉じるので燃焼器１４へのガスＧの供給が停止する。このため、燃焼器１４の炎は即時に失火するので、燃焼器１４の炎が逆火することはなく、逆火による送風機１１の焼損を免れることが出来る。
【００２０】
また、コントローラ１２から出力する制御信号Ｓｃを、ファン１１ｂの回転数に比例する制御信号Ｓｃにすれば、ファン１１ｂの回転数に比例して電磁弁１３のバルブの開度がコントロールできる。従って、ファン１１ｂの回転数が低下すると燃焼器１４へのガスＧの供給量も回転数に比例して低下するため、この場合に於いても、燃焼器１４の炎が逆火することはなく、逆火による送風機１１の焼損を免れることが出来る。また、回転検出器１５の回転信号ＳＲに応じてモータ１１ａの回転数及び燃料供給用電磁弁１３のバルブの開度を任意に調整できるように構成すれば、スクリードプレート１７の温度を任意に調整できる。
【００２１】
本実施の形態においては、回転検出の対象としてファン１１ｂを選択した場合について説明したが、ファン１１ｂに連動するものであればいずれも回転検出の対象とすることができる。例えば、モータ１１ａの回転軸やモータ１１ａ内の磁石等を対象とすることが出来る。また、モータ１１ａから直接コントローラ１２へ回転信号ＳＲが出力されてもよい。このような各場合においても、上記実施形態と同様な作用効果が奏される。また本発明は、アスファルトフィニッシャのスクリード装置のみならず、加熱装置を具備するスクリード装置を備えるものであれば適用できる。
【００２２】
【発明の効果】
以上説明したように本発明によれば、電気配線の断線等、不測の要因によって送風機からの送風が停止した場合又は送風量が不足した場合には、従来はオペレータの操作によって燃料の供給を停止させるようにしていたが、コントローラが弁を制御するので、即時に弁が閉じて燃料の供給を停止させる。このため、燃焼器の炎は即時に失火し逆火することがないので、逆火による送風機の焼損を免れることが出来る。
【００２３】
また、弁の制御を、ＯＮ，ＯＦＦ制御から、送風機の送風量に比例する制御に変え、送風機の送風量が低下した場合に弁の開度を送風量に比例して小さくするように構成しても、燃焼器の炎が逆火することはなく、逆火による送風機の焼損を免れることが出来る。また、検出器の検出信号に応じて送風機の送風量及び弁の開度を任意に調整できるように構成すれば、スクリードの温度を任意に調整できる。
【図面の簡単な説明】
【図１】本発明の一実施形態によるスクリード加熱装置の構成の概略を表す図である。
【図２】従来の送風機付き燃焼器タイプのスクリード加熱装置における電気系統を示す図である。
【図３】従来の送風機付き燃焼器タイプのスクリード加熱装置において、（ａ）は正常加熱時の送風機、燃焼器、ダクトの内部の様子を簡略的に表した図であり、（ｂ）は送風停止時の送風機、燃焼器、ダクトの内部の様子を簡略的に表した図である。
【符号の説明】
１１…送風機
１１ａ…モータ
１１ｂ…ファン
１２…コントローラ
１３…電磁弁
１４…燃焼器
１５…回転検出器
１６…ダクト
１７…スクリードプレート
【図１】
0003632828.tif 000002
【図２】
0003632828.tif 000003
【図３】
0003632828.tif 000004